(57)【要約】【課題】コンベアベルトを支持するための自動調心ローラーであって、製造が容易でかつ取付が容易な自動調心ローラーを提供する。【解決手段】自動調心ローラー１は、樹脂リング部材１０の内径部に金属製のベアリング受け部材２０が一体に成型される。ベアリング受け部材２０の球面部２２には自動調心ベアリング３０が挿入される。インナーレース内周面はテーパー面に形成され、スリーブ５０が挿入される。ナット６０を締め付けることでシャフト８０に対して任意の位置に自動調心ローラーを取り付けることができる。【選択図】図１
2010007827.tif 000002
【特許請求の範囲】
【請求項１】
外径部に配設される樹脂リング部材と、樹脂リング部材の内径部に一体に結合されるベアリング受け部材と、ベアリング受け部材の内径部に挿入される自動調心ボールベアリングと、自動調心ボールベアリングのインナーレース内径部に挿入されるテーパースリーブと、テーパースリーブの小径側に形成されねじ部に螺合するナットと、ナット固定用座金とを備える自動調心ローラー。
【請求項２】
ベアリング受け部材は、外径部の両端部に樹脂リング部材に密着するフランジと、内径部に形成される球面部及びベアリング挿入口を備え、
自動調心ベアリングは、アウターレースの外周面に形成される球面部と、インナーレースの内径部に形成されるテーパー面を備える請求項１記載の自動調心ローラー。
【請求項３】
ベアリング受け部材は、球面部にオイルレス軸受材を備える請求項２記載の自動調心ローラー。
【請求項４】
ベアリング受け部材は、球面部にテフロン（登録商標）膜を備える請求項２記載の自動調心ローラー。
【請求項５】
自動調心ベアリングは、アウターレースの長さ寸法に比べて大きな長さ寸法を有するインナーレースを備える請求項２記載の自動調心ローラー。
【発明の詳細な説明】
【技術分野】
【０００１】
本発明は、例えば空港の手荷物搬送用ベルトコンベア等の物流用ベルトコンベアや、物流用のパレットコンベアを支持するのに使用する自動調心ローラーに関する。
【背景技術】
【０００２】
空港の手荷物搬送用ベルトコンベアやパレットコンベア等は、曲線をもつラインに沿って手荷物を搬送する必要がある。
曲線を通過する際には、コンベアに複雑な荷重が作用するので、ローラーは自動調心機能を備えることが求められる。
下記の特許文献１は自動調心ローラーを開示し、また特許文献２は、本発明者が提案した自動調心ローラーを示す。
【特許文献１】特開２００５−２５６８７４号公報
【特許文献２】特開２００２−３１０１３９号公報
【発明の開示】
【発明が解決しようとする課題】
【０００３】
空港の手荷物数の増加等に伴ない、手荷物搬送コンベアラインの長さ寸法は大きくなり、１ライン当りのローラーの使用個数も多量となっている。
そこで、構造が簡単で、製造コストも低減できる自動調心ローラーが求められている。
本発明の目的は、上述した要求を満たす自動調心ローラーを提供するものである。
【課題を解決するための手段】
【０００４】
上記目的を達成するために、本発明の自動調心ローラーは、外径部に配設される樹脂リング部材と、樹脂リング部材の内径部に一体に結合されるベアリング受け部材と、ベアリング受け部材の内径部に挿入される自動調心ボールベアリングと、自動調心ボールベアリングのインナーレース内径部に挿入されるテーパースリーブと、テーパースリーブの小径側に形成されねじ部に螺合するナットと、ナット固定用座金とを備える。
そして、ベアリング受け部材は、外径部の両端部に樹脂リング部材に密着するフランジと、内径部に形成される球面部及びベアリング挿入口を備え、自動調心ベアリングは、アウターレースの外周面に形成される球面部と、インナーレースの内径部に形成されるテーパー面を備えるものである。
また、ベアリング受け部材は、球面部にオイルレス軸受材を備え、球面部にテフロン膜を備えることもできる。
さらに、自動調心ベアリングは、アウターレースの長さ寸法に比べて大きな長さ寸法を有するものである。
【発明の効果】
【０００５】
本発明によれば、ベルトコンベアの曲線部等にあって、ベアリングのアウターレース側にとりつけられるローラーは自動的に調心されるので、無理な力が加えられず耐久性、寿命が向上する。
【発明を実施するための最良の形態】
【０００６】
図１は、本発明の自動調心ローラーの全体構成を示す断面図である。
全体を符号１で示す自動調心ローラーは最外側に配設される樹脂リング部材１０を有し、樹脂リング部材１０は、例えばウレタン等の熱硬化樹脂でつくられる。
樹脂リング部材１０の内径部にはベアリング受け部材２０が一体に結合される。ベアリング受け部材２０の内径部は球面２２に形成され、片側にベアリング挿入口２４を有する。
【０００７】
ベアリング受け部材２０の内径に挿入されるベアリング３０は、アウターレース３２、ボール３４、インナーレース３６を有し、アウターレース３２の外周面は球面に形成される。
インナーレース３６の内面はテーパー面に形成される。
インナーレース３６のテーパー面に対応するテーパー面を外周部に有するスリーブ５０が挿入され、取付対象となるシャフト８０等を挿入した後に、ナット６０を締付ける。テーパー面の作用でスリーブ５０はシャフト８０とインナーレース３６を固着する。回り止めリング７０の爪を折り曲げてナット６０を固定する。
【０００８】
図２は、樹脂リング部材１０とベアリング受け部材２０の組立体を示す説明図である。
樹脂リング部材１０はベアリング受け部材２０と一体に成型される。ベアリング受け部材２０は鋼材や焼結合金等の金属材料でつくられる。外周部の両端部には樹脂リング部材１０との結合性を向上するためのフランジ２６が設けられる。
ベアリング受け部材２０の内周面は、軸線方向に球面に形成されるが、この球面内周面にはオイルレス軸受材の張り付け加工が施される。オイルレス軸受材の張り付けにかえて、例えばテフロン加工を施してテフロン膜を備えることもできる。
【０００９】
図３は自動調心ベアリングの断面図である。
自動調心ベアリング３０は、アウターレース３２、ボール３４、インナーレース３６を有する。
アウターレースの外周面は、軸線方向に球面３３に形成される。インナーレース３６は内面がテーパー面３８に形成されるインナーレース３８の長さ寸法Ｌ２はアウターレース３２の長さ寸法Ｌ１より大きな寸法を有する。インナーレース３８の長さ寸法Ｌ２は、ベアリング受け部材２０のベアリング挿入口２４を通過できる長さ寸法に設定される。
【００１０】
図４は取付用のスリーブ５０、ナット６０、固定用座金７０の組立体を示す説明図である。スリーブ５０は、薄い金属パイプ等でつくられ、外面はテーパー面５２に形成される。すなわち一方端の外径寸法Ｄ１は他方端の外径寸法Ｄ２より大きな寸法に形成される。
そして、小径部にねじ部５６が設けられる。このねじ部５６には固定用座金７０を介してナット６０を螺合してある。
【００１１】
図１に示すように、取付対象となるシャフト８０の嵌装し、ナット６０を締込むことで、スリーブ５０はテーパーのくさび作用によってシャフト８０を締付けるとともに、ベアリングのインナーレース３６との結合も同時に達成される。
本発明は以上の構成を備えるので、樹脂リング部材を含むベアリング受け部材の軸心がインナーレースの軸心に対して傾いたときにも、樹脂リング部材とベアリング受け部材の組立体は球面に沿って偏心して回転し、自動的に調心される。
この機能により、曲線部分のベルトコンベア等を安全に支持することができる。
また、この自動調心ローラーは、製造も容易であり、さらに相手シャフトへの取付も容易であり、かつ任意の位置にとりつけることができる。
【図面の簡単な説明】
【００１２】
【図１】本発明の自動調心ローラーの断面図
【図２】樹脂リング部材とボアリング受け部材の組立体を示す説明図
【図３】自動調心ベアリングの断面図
【図４】取付用の組立体を示す説明図
【符号の説明】
【００１３】
１  自動調心ローラー
１０  樹脂リング部材
２０  ベアリング受け部材
３０  自動調心ベアリング
５０  取付用スリーブ
６０  ナット
７０  ナット固定用座金
８０  シャフト
【図１】
2010007827.tif 000003
【図２】
2010007827.tif 000004
【図３】
2010007827.tif 000005
【図４】
2010007827.tif 000006